(57)【要約】  インプラント構造物が開示される。本発明の一実施例のインプラント構造物は、入れ歯構造のキャップを形成するリテーナー、歯茎に植立され、その下部に歯槽骨に埋め込まれて固定されるフィクスチャーが形成され、その上部に前記フィクスチャーと前記リテーナーを連結するアバットメントが前記フィクスチャーと一体に形成される固定部、および前記リテーナーと前記アバットメントに弾性力を提供するリング状を構成するコイルスプリングを含み、前記リテーナーの内部には前記スプリングが装着される装着部が形成される。
2022500166.tif 000002
【特許請求の範囲】
【請求項１】
入れ歯構造物と結合して前記入れ歯構造物を固定するリテーナー；
歯茎の歯槽骨に埋め込まれるフィクスチャーと、前記フィクスチャーの上部に前記フィクスチャーと一体に形成されて前記フィクスチャーと前記リテーナーを連結するアバットメントで構成される固定部；および
前記リテーナーと前記アバットメントに弾性力を提供するコイルスプリングを含み、
前記リテーナーの内部には前記スプリングが装着される装着部が形成される、インプラント構造物。
【請求項２】
前記アバットメントの上部に第１突出部が形成されて、前記第１突出部の下部で前記スプリングの内側が前記アバットメントに接触するように構成される、請求項１に記載のインプラント構造物。
【請求項３】
前記アバットメントの上部に第１突出部が形成されて、前記第１突出部の下部で前記スプリングの内側が前記アバットメントに接触するように構成される、請求項１に記載のインプラント構造物。
【請求項４】
前記アバットメントは、
前記スプリングが接触する接触部；
前記第１接触部の上部で、前記第１接触部から外側に突出する第２突出部；および
前記第１接触部の下部で、前記第２接触部から外側に突出する第３突出部で構成され、
前記スプリングの内側が前記第１接触部、前記第２突出部および前記第３突出部と接触することを特徴とする、請求項１に記載のインプラント構造物。
【請求項５】
前記スプリングの断面が前記第１接触部の長さより大きく、前記装着部に装着されることを特徴とする、請求項４に記載のインプラント構造物。
【請求項６】
前記スプリングは、
前記接触部、前記第２突出部および前記第３突出部が形成するリセス部に装着されることを特徴とする、請求項４に記載のインプラント構造物。
【請求項７】
前記アバットメントは、
回転可能に球状に形成される上部；
前記固定部の胴体に前記上部を連結する下部；および
前記上部と下部の間に、前記スプリングが配置される屈曲部を含んで構成され、
前記スプリングの内側が前記屈曲部と接触することを特徴とする、請求項１に記載のインプラント構造物。
【請求項８】
前記リテーナーは中空の円柱の形状であり、
前記上部の一部が前記リテーナーの外部に突出することを特徴とする、請求項７に記載のインプラント構造物。
【請求項９】
前記スプリングのベース材料は銅合金、ステンレススチール合金またはチタンのうちいずれか一つ以上を含み、表面処理され得ることを特徴とする、請求項１に記載のインプラント構造物。
【請求項１０】
前記スプリングは斜めに置かれたコイルであって、圧力がある場合、デフレクション特性を示す、請求項１に記載のインプラント構造物。
【発明の詳細な説明】
【技術分野】
【０００１】
本発明はインプラント構造物に関する。
【背景技術】
【０００２】
一般的にはインプラントは人工歯の一態様であって、咀嚼、審美、発音などの機能を回復させる人工補綴物である。インプラントは埋め込みが完了した後には自然歯と区別し難いほどの外形と機能を有し、寿命も管理状態によって半永久的なものであるため、大衆的に利用されている。
【０００３】
このようなインプラントは大きくフィクスチャー（ｆｉｘｔｕｒｅ）、アバットメント（ａｂｕｔｍｅｎｔ）およびリテーナー（ｒｅｔａｉｎｅｒ）で構成され得る。
【０００４】
フィクスチャーは歯槽骨に埋め込まれて固定される部分であり、リテーナーは入れ歯構造物と結合して入れ歯構造物を固定する部分であり、アバットメントはフィクスチャーとリテーナーを連結する部分である。
【０００５】
具体的には、従来のインプラントはアバットメントの下側部がフィクスチャーにねじ結合されるかまたは一体に構成され、上側部にリテーナーが接着剤で固定される構造で構成される。
【０００６】
しかし、リテーナーがアバットメントの上部に接着剤で固定されるためリテーナーをアバットメントから脱着することが難しく、リテーナーの上部に付着される歯がリテーナーとなす角度が固定されて使用者の口の中で精密に位置し難い問題点がある。
【発明の概要】
【発明が解決しようとする課題】
【０００７】
本発明が解決しようとする技術的課題は、アバットメントとリテーナー間にスプリングを介在させることにより、安定的に固定されながらも脱着が容易であり、付着される歯の位置に応じて角度を異なるように構成できる、インプラント構造物を提供することである。
【課題を解決するための手段】
【０００８】
前記のような技術的課題を解決するために、本発明の一実施例のインプラント構造物は、入れ歯構造物と結合して前記入れ歯構造物を固定するリテーナー；歯茎の歯槽骨に埋め込まれるフィクスチャーと、前記フィクスチャーの上部に前記フィクスチャーと一体に形成されて前記フィクスチャーと前記リテーナーを連結するアバットメントで構成される固定部；および前記リテーナーと前記アバットメントに弾性力を提供するコイルスプリングを含み、前記リテーナーの内部には前記スプリングが装着される装着部が形成され得る。
【０００９】
本発明の一実施例において、前記アバットメントの上部に第１突出部が形成されて、前記第１突出部の下部で前記スプリングの内側が前記アバットメントに接触するように構成され得る。
【００１０】
本発明の一実施例において、前記アバットメントの上部に前記スプリングが装着されるリセス部が形成され、前記スプリングの外側が前記リテーナーの内部の側面と接触するように構成され得る。
【００１１】
本発明の一実施例において、前記アバットメントは、前記スプリングが接触する接触部；前記第１接触部の上部で、前記第１接触部から外側に突出する第２突出部；および前記第１接触部の下部で、前記第２接触部から外側に突出する第３突出部で構成され、前記スプリングの内側が前記第１接触部、前記第２突出部および前記第３突出部と接触することができる。
【００１２】
本発明の一実施例において、前記スプリングの断面が前記第１接触部の長さより大きく、前記装着部に装着され得る。
本発明の一実施例において、前記スプリングは、前記接触部、前記第２突出部および前記第３突出部が形成するリセス部に装着され得る。
【００１３】
本発明の一実施例において、前記アバットメントは、回転可能に球状に形成される上部；前記固定部の胴体に前記上部を連結する下部；および前記上部と下部の間に、前記スプリングが配置される屈曲部を含んで構成され、前記スプリングの内側が前記屈曲部と接触することができる。
【００１４】
本発明の一実施例において、前記リテーナーは、中空の円柱の形状であり、前記上部の一部が前記リテーナーの外部に突出し得る。
本発明の一実施例において、前記スプリングのベース材料は銅合金、ステンレススチール合金またはチタンのうちいずれか一つ以上を含み、表面処理され得る。
【００１５】
本発明の一実施例において、前記スプリングは、斜めに置かれたコイルであって、圧力がある場合、デフレクション特性を示し得る。
【発明の効果】
【００１６】
前記のような本発明は、リテーナーとアバットメントの間にスプリングが介在されることによって、スプリングの弾性力によってリテーナーがアバットメントに安定的に結合されるとともに、容易に脱落を可能にする効果がある。
【００１７】
また、デフレクション可能なスプリングによって、付着される歯の位置に応じてそれぞれ異なる角度を構成できるため、付着される歯に対する異物感を感じさせないようにする効果がある。
【図面の簡単な説明】
【００１８】
【図１ａ】本発明の一実施例のインプラント構造物の構成を説明するための一例示図である。
【図１ｂ】図１ａのスプリングのデフレクションの程度を説明するための一例示図である。
【図２】本発明の他の実施例のインプラント構造物の構成を説明するための一例示図である。
【図３】本発明の他の実施例のインプラント構造物の構成を説明するための一例示図である。
【図４】本発明の他の実施例のインプラント構造物の構成を説明するための一例示図である。
【図５】本発明の他の実施例のインプラント構造物の構成を説明するための一例示図である。
【図６】本発明の他の実施例のインプラント構造物の構成を説明するための一例示図である。
【図７】本発明の他の実施例のインプラント構造物の構成を説明するための一例示図である。
【図８】本発明の他の実施例のインプラント構造物の構成を説明するための一例示図である。
【図９】本発明の他の実施例のインプラント構造物の構成を説明するための一例示図である。
【図１０】本発明の他の実施例のインプラント構造物の構成を説明するための一例示図である。
【発明を実施するための形態】
【００１９】
本発明の構成および効果を十分に理解するために、添付した図面を参照して本発明の好ましい実施例を説明する。しかし、本発明は以下で開示される実施例に限定されるものではなく、多様な形態で具現され得、多様な変更を加えることができる。ただし、本実施例についての説明は本発明の開示を完全なものとし、本発明が属する技術分野の通常の知識を有する者に発明の範疇を完全に知らせるために提供されるものである。添付された図面で構成要素は説明の便宜のためにその大きさを実際より拡大して図示したものであり、各構成要素の比率は誇張または縮小され得る。
【００２０】
「第１」、「第２」等の用語は多様な構成要素の説明に使われ得るが、前記構成要素は前記用語によって限定されてはならない。前記用語は一つの構成要素を他の構成要素から区別する目的でのみ使われ得る。例えば、本発明の権利範囲を逸脱することなく「第１構成要素」は「第２構成要素」と命名され得、同様に「第２構成要素」も「第１構成要素」と命名され得る。また、単数の表現は文脈上明白に異なるように表現しない限り、複数の表現を含む。本発明の実施例で使われる用語は異なるように定義されない限り、該当技術分野で通常の知識を有する者に通常的に知られている意味で解釈され得る。
【００２１】
以下では、図１ａ〜図１０を参照して、本発明の一実施例に係るインプラント構造物を説明することにする。
図１ａは本発明の一実施例のインプラント構造物の構成を説明するための一例示図であって、（ａ）は切断面図、（ｂ）はリテーナーが固定部から分離された状態の切断面図、（ｃ）は分解斜視図である。
【００２２】
図面を参照すると、本発明の一実施例のインプラント構造物は、リテーナー１０とリテーナー１０の内部に配置されるスプリング２０、および歯槽骨に植立されてリテーナー１０が結合される固定部３０を含む。
【００２３】
本発明の一実施例は、入れ歯構造物がリテーナー１０によって歯茎に固定されるものであって、リテーナー１０の外部に入れ歯構造物が嵌め込まれて固定されるものである。この時、リテーナー１０は入れ歯構造物の内部に挿入され得る。以下、各実施例の説明において同一であり得、これに対する説明は重複するため省略することにする。
【００２４】
固定部３０は上部にアバットメント３０ａが構成され、下部にフィクスチャー３０ｂが構成され得る。本発明の一実施例において、アバットメント３０ａとフィクスチャー３０ｂが一体に構成され得る。アバットメント３０ａの上部には突出部３０ｄが形成されてその下部にスプリング２０の内側が接触するように構成され得る。
【００２５】
アバットメント３０ａの上部には固定部３０の植立時に道具が締結される六角形の道具挿入溝３０ｃが形成され得る。ただし、本発明の道具挿入溝３０ｃは六角形に制限されるものではなく、締結される道具の形状に応じて円形または多角形の道具挿入溝３０ｃが形成され得るであろう。
【００２６】
リテーナー１０はその内部にスプリング２０が装着される装着部１０ａが構成され得、リテーナー１０の装着部１０ａの上面とアバットメント３０ａの上面が接触するように形成され得る。
【００２７】
リテーナー１０の外面はその外部に歯の形態のクラウンが脱着しやすいように凹凸部１０ｃが形成され得、施術者がリテーナー１０の回転が容易であるように一側に切断部が形成され得る。
【００２８】
スプリング２０は斜めに置かれたリング状のコイルスプリングであって、衝撃または振動を減殺させてリテーナー１０と固定部３０に加えられる衝撃または振動を吸収するように構成され得る。本発明の一実施例のスプリング２０は向上した接触性能を提供することができ、さらに長い寿命を提供することができる。スプリング２０は接触および表面の変動に対する補償のために独立的に偏向（デフレクション（ｄｅｆｌｅｃｔｉｏｎ））されて、相手部品間の公差を許容することができる。
【００２９】
図１ｂはスプリング２０のデフレクションの程度を説明するための一例示図であって、（ａ）はデフレクションがない場合、（ｂ）は標準デフレクションの場合、（ｃ）は最大デフレクションの場合を示したものである。
【００３０】
図面に図示された通り、本発明の一実施例のスプリング２０は斜めに置かれたコイル（ｃａｎｔｅｄ  ｃｏｉｌ）であって、圧力がある場合、デフレクション特性を示し得る。それぞれの偏った（ａｎｇｌｅｄ）コイルは全体のスプリングの半径の周囲に均一な荷重のための半経方向または軸方向の力を生成することができる。この時、圧力は約１Ｎ〜５０Ｎであり得、角度の変化は１度〜４０度の動きを示すことができる。ただし、このような圧力は本発明の一実施例のインプラント構造物が一つ使われる場合に該当するものであり、もし、入れ歯構造物を固定するインプラント構造物が二つ以上使われる場合、その圧力は増加し得るであろう。
【００３１】
本発明の一実施例のスプリング２０は、リテーナー１０とアバットメント３０ａの接触によりデフレクションが変化することによって、図１ｂの（ａ）〜（ｃ）のように変形されることによって、不規則な圧力の変化に効率的に対応することができ、抵抗力（ｔｏｌｅｒａｎｃｅ）の変化にも効率的に対応することができる。
【００３２】
本発明の一実施例において、スプリング２０のベース材料は多様な銅合金とステンレススチール合金またはチタンのうちいずれか一つ以上を含むことができ、表面処理され得る。
【００３３】
本発明の一実施例では、スプリング２０のコイルの断面が円形のものとして図示されているが、これに限定されるものではなく、患者の歯の位置に応じて入れ歯構造物が横たわっている角度が異なるデフレクションされたスプリングが選択され得、このようなスプリングによって突出部３０ｄの間隔が決定され得るであろう。またはリテーナー１０の装着部１０ａとアバットメント３０ａの突出部３０ｄの間隔によりデフレクションが発生して断面が楕円の形状に変形されることもあり得るであろう。
【００３４】
スプリング２０はリテーナー１０の装着部１０ａに配置され、アバットメント３０ａの突出部３０ｄがスプリング２０の上部に配置されるように構成され得る。このような構成において、スプリング２０はリテーナー１０とアバットメント３０ａに弾性力を提供することができ、これによってリテーナー１０がアバットメント３０ａに安定的に結合されるとともに、容易に脱落が可能であるように構成され得るであろう。また、デフレクション可能なスプリング２０によって付着される歯の位置に応じてそれぞれ異なる角度を構成できるため、付着される歯に対する異物感を感じさせないようにすることができる。
【００３５】
図２は本発明の他の実施例のインプラント構造物の構成を説明するための一例示図であって、（ａ）は切断面図、（ｂ）はリテーナーが固定部から分離された状態の切断面図、（ｃ）は分解斜視図である。図１ａと同一の構成についてはその説明を省略することにする。
【００３６】
図面を参照すると、本発明の一実施例のインプラント構造物は、リテーナー１１、スプリング２１および歯槽骨に植立されてリテーナー１１が結合される固定部３１を含むことができる。
【００３７】
固定部３１は上部のアバットメント３１ａと下部のフィクスチャー３１ｂが一体に形成されるものであって、アバットメント３１ａの上部にスプリング２１が装着されるリセス（ｒｅｃｅｓｓ）の形状のリセス部３１ｃが形成され得る。
【００３８】
本発明の一実施例において、アバットメント３１ａの上面とリテーナー１１の内側の上面が接触するように構成され得、リセス部３１ｃに装着されたスプリング２１の外側はリテーナー１１の内側面と接触するように構成され得る。
【００３９】
アバットメント３１ａのリセス部３１ｃにスプリング２１が装着された状態でリテーナー１１がアバットメント３１ａに結合し、スプリング２１の弾性力によってリテーナー１１がアバットメント３１ａに安定的に結合されるとともに、容易に脱落が可能であるように構成され得るであろう。また、デフレクション可能なスプリング２１によって付着される歯の位置に応じてそれぞれ異なる角度を構成できるため、付着される歯に対する異物感を感じさせないようにすることができる。
【００４０】
図３は本発明の他の実施例のインプラント構造物の構成を説明するための一例示図であって、（ａ）は切断面図、（ｂ）はリテーナーが固定部から分離された状態の切断面図、（ｃ）は分解斜視図である。図１と同一の構成についてはその説明を省略することにする。
【００４１】
固定部３２は上部のアバットメント３２ａと下部のフィクスチャー３２ｂが一体に形成されるものであって、アバットメント３２ａはリテーナー１２の装着部１２ａに配置されるスプリング２２が接触する接触部３２ｄと、それから外側に向かって突出する第１突出部３２ｃおよび第２突出部３２ｅで構成され得る。
【００４２】
スプリング２２の内側は接触部３２ｄ、第１突出部３２ｃおよび第２突出部３２ｅと接触することができ、スプリング２２の断面の大きさが接触部３２ｄの長さより大きくてもよい。また、第１突出部３２ｃの上面がリテーナー１２の内側の上面と接触するように構成され得、第２突出部３２ｅは施術者が回転が容易であるように断面が多角形の形状に形成され得る。
【００４３】
図４は本発明の他の実施例のインプラント構造物の構成を説明するための一例示図であって、（ａ）は切断面図、（ｂ）はリテーナーが固定部から分離された状態の切断面図、（ｃ）は分解斜視図である。図３と同一の構成についてはその説明を省略することにする。
【００４４】
図面を参照すると、本発明の一実施例では、アバットメント３２ａの上部に植立時に道具が締結される道具挿入溝３２ｆが形成され得る。その他の構成については図３と同一であるため、その詳細な説明は省略することにする。
【００４５】
図５は本発明の他の実施例のインプラント構造物の構成を説明するための一例示図であって、（ａ）は切断面図、（ｂ）はリテーナーが固定部から分離された状態の切断面図、（ｃ）は分解斜視図である。
【００４６】
図面を参照すると、固定部３３は上部のアバットメント３３ａと下部のフィクスチャー３３ｂが一体に形成されるものであって、アバットメント３３ａはスプリング２３が接触する接触部３３ｄと、上部においてそれから外側に向かって突出する第１突出部３３ｃおよび下部において外側へ向かって突出する第２突出部３３ｅで構成され得る。
【００４７】
スプリング２３は接触部３３ｄ、第１突出部３３ｃおよび第２突出部３３ｅが構成するリセス部に装着され得、第１突出部３３ｃの上面はリテーナー１３の内側の上面と接触するように配置され得る。この実施例において、スプリング２３の断面は接触部３３ｄの長さと略同一に構成され得る。
【００４８】
リセス部に装着されるスプリング２３はリテーナー１３の内側の側面と接触することができるであろう。
図６は本発明の他の実施例のインプラント構造物の構成を説明するための一例示図であって、（ａ）は切断面図、（ｂ）はリテーナーが固定部から分離された状態の切断面図、（ｃ）は分解斜視図である。
【００４９】
図面に図示された通り、固定部３４はアバットメント３４ａと下部のフィクスチャー３４ｂが一体に形成されるものであって、アバットメント３４ａはリテーナー１４の内部で回転可能に球状に形成される上部３４ｃと固定部３４の胴体に上部３４ｃを連結する下部３４ｄで構成され得る。
【００５０】
リテーナー１４はその内部にスプリング２４が装着される装着部１４ａが形成され、外部には施術者が回転が容易であるように凹凸部１４ｂが形成され得る。
アバットメント３４ａの上部３４ｃと下部３４ｄの間には、スプリング２４の内側が接触する屈曲部３４ｅが形成されてアバットメント３４ａがリテーナー１４の内部に挿入されると、屈曲部３４ｅとスプリング２４が接触するように構成され得る。
【００５１】
図７は本発明の他の実施例のインプラント構造物の構成を説明するための一例示図であって、（ａ）は切断面図、（ｂ）はリテーナーが固定部から分離された状態の切断面図、（ｃ）は分解斜視図であり、リテーナー１５の構成を除いて図６の実施例と同一である。
【００５２】
図面を参照すると、リテーナー１５は中空の円筒状に形成され得、その内部にスプリング２５が装着される装着部１５ａが形成され、外部は施術者が回転が容易であるように凹凸部１５ｂが形成され得る。
【００５３】
リテーナー１５がアバットメント３５ａに結合されると、アバットメント３５ａの上部３５ｃがリテーナー１５の外側に突出するように構成され得る。
図８は本発明の他の実施例のインプラント構造物の構成を説明するための一例示図であって、（ａ）は切断面図、（ｂ）はリテーナーが固定部から分離された状態の切断面図、（ｃ）は分解斜視図を示す。図８の一実施例は、スプリングがアバットメントに装着される例を示したものである。
【００５４】
図面に図示された通り、固定部３６はアバットメント３６ａと下部のフィクスチャー３６ｂが一体に形成されるものであって、本発明の一実施例において、リテーナー１６にはアバットメント３６ａの締結溝３６ｄと結合する突出部１６ａが形成され、締結溝３６ｄの上部にスプリング２６が装着される装着部３６ｃが形成され得る。また、リテーナー１６の外面にはアバットメント３６ａの外面を囲むように配置される締結部１６ｂが形成され得る。リテーナー１６の上部は施術者の回転が容易であるように多様な形状に形成され得るであろう。
【００５５】
図９は本発明の他の実施例のインプラント構造物の構成を説明するための一例示図であって、（ａ）は切断面図、（ｂ）はリテーナーが固定部から分離された状態の切断面図、（ｃ）は分解斜視図を示す。図９の一実施例は、図８の実施例のように、スプリングがアバットメントに装着される例を示したものである。
【００５６】
図面を参照すると、固定部３７はアバットメント３７ａと下部のフィクスチャー３７ｂが一体に形成されるものであって、本発明の一実施例において、リテーナー１７にはアバットメント３７ａの締結溝３７ｄと結合する突出部１７ａが形成され、締結溝３７ｄの上部にスプリング２７が装着される装着部３７ｃが形成され得る。本発明の一実施例において、突出部１７ａは回転が容易であるように球の形状であり得る。
【００５７】
一方、本発明の一実施例の説明では、スプリングが単独で形成される構成について議論してきたが、これに限定されるものではなく、複数のスプリングが配置されて圧力をさらに高くしてもよい。
【００５８】
図１０はこれを説明するためのものであって、本発明の他の実施例のインプラント構造物の構成を説明するための一例示図であり、（ａ）は本発明の一実施例のインプラント構造物を正面から見た図面、（ｂ）は切断面図である。
【００５９】
図面を参照すると、固定部３８はアバットメント３８ａと下部のフィクスチャー３８ｂが一体に形成されるものであって、本発明の一実施例において、リテーナー１８の外面には施術者が回転が容易であるように凹凸部１８ａが形成され得る。
【００６０】
また、本発明のアバットメント３８ａには第１スプリング２８ａと第２スプリング２８ｂが装着される第１装着部３８ｄと第２装着部３８ｃが形成され得る。
このような構成によって、複数のスプリングによって圧力がさらに強化されたインプラント構造物が提供され得るであろう。
【００６１】
本発明の一実施例では、リテーナーの多様な形状が紹介されているが、本発明のスプリングを装着できる形状で構成される異なる形状のリテーナーが本発明の一実施例によって適用され得るであろう。また、本発明の一実施例では多様な形状のアバットメントが紹介されているが、リテーナーと結合してスプリングを装着できる多様な形状のアバットメントが適用され得るであろう。
【００６２】
また、本発明の一実施例では、一つまたは二つのスプリングがリテーナーまたはアバットメントに装着される構成を説明しているが、これに限定されるものではなく、複数のスプリングがリテーナーまたはアバットメントに装着されることも可能であろう。
【００６３】
このように、リテーナーとアバットメントの間にスプリングが介在されることによって、スプリングの弾性力によってリテーナーがアバットメントに安定的に結合されるとともに、容易に脱落が可能であるように構成され得るであろう。また、デフレクション可能なスプリングによって、付着される歯の位置に応じてそれぞれ異なる角度を構成できるため、付着される歯に対する異物感を感じさせないようにすることができる。
【００６４】
以上で本発明に係る実施例が説明されたが、これは例示的なものに過ぎず、当該分野で通常の知識を有する者であれば、これから多様な変形および均等な範囲の実施例が可能であることが理解できるであろう。したがって、本発明の真の技術的保護範囲は次の特許請求の範囲によって定められるべきである。
【図１ａ】
2022500166.tif 000003
【図１ｂ】
2022500166.tif 000004
【図２】
2022500166.tif 000005
【図３】
2022500166.tif 000006
【図４】
2022500166.tif 000007
【図５】
2022500166.tif 000008
【図６】
2022500166.tif 000009
【図７】
2022500166.tif 000010
【図８】
2022500166.tif 000011
【図９】
2022500166.tif 000012
【図１０】
2022500166.tif 000013
【手続補正書】
【提出日】令和3年3月10日(2021.3.10)
【手続補正１】
【補正対象書類名】特許請求の範囲
【補正対象項目名】全文
【補正方法】変更
【補正の内容】
【特許請求の範囲】
【請求項１】
入れ歯構造物と結合して前記入れ歯構造物を固定するリテーナーと、
歯茎の歯槽骨に埋め込まれるフィクスチャー、および前記フィクスチャーの上部に前記フィクスチャーと一体に形成されて前記フィクスチャーと前記リテーナーとを連結するアバットメントで構成される固定部と、
前記リテーナーおよび前記アバットメントに弾性力を提供し、斜めに置かれたリング状のコイルスプリングと、を含み、
前記リテーナーの内部には前記コイルスプリングが装着される装着部が形成され、前記コイルスプリングは前記リテーナーと前記アバットメントとの接触および表面の変動に対する補償のために独立的にデフレクションされて、前記入れ歯構造物の位置に応じて前記リテーナーと前記アバットメントとの角度を異なるように構成し、
前記コイルスプリングはスプリング半径の周囲に均一な荷重のための半経方向または軸方向の力を形成することができ、角度は１〜４０度の動きを示すことができる、インプラント構造物。
【請求項２】
前記アバットメントの上部に第１突出部が形成されて、前記第１突出部の下部で前記コイルスプリングの内側が前記アバットメントに接触するように構成される、請求項１に記載のインプラント構造物。
【請求項３】
前記アバットメントの上部に前記コイルスプリングが装着されるリセス部が形成され、前記コイルスプリングの外側が前記リテーナーの内部の側面と接触するように構成される、請求項１または２に記載のインプラント構造物。
【請求項４】
前記アバットメントは、
前記コイルスプリングが接触する接触部と、
前記接触部の上部で、前記接触部から外側に突出する第２突出部と、
前記接触部の下部で、前記接触部から外側に突出する第３突出部と、で構成され、
前記コイルスプリングの内側が前記接触部、前記第２突出部および前記第３突出部と接触することを特徴とする、請求項１〜３のいずれか１項に記載のインプラント構造物。
【請求項５】
前記コイルスプリングの断面が前記接触部の長さより大きく、前記装着部に装着されることを特徴とする、請求項４に記載のインプラント構造物。
【請求項６】
前記コイルスプリングは、
前記接触部、前記第２突出部および前記第３突出部が形成するリセス部に装着されることを特徴とする、請求項４または５に記載のインプラント構造物。
【請求項７】
前記アバットメントは、
回転可能に球状に形成される上部と、
前記固定部の胴体に前記上部を連結する下部と、
前記上部と前記下部の間に、前記コイルスプリングが配置される屈曲部と、を含んで構成され、
前記コイルスプリングの内側が前記屈曲部と接触することを特徴とする、請求項１〜６のいずれか１項に記載のインプラント構造物。
【請求項８】
前記リテーナーは、中空の円柱の形状であり、
前記上部の一部が前記リテーナーの外部に突出することを特徴とする、請求項７に記載のインプラント構造物。
【請求項９】
前記コイルスプリングのベース材料は銅合金、ステンレススチール合金またはチタンのうちいずれか一つ以上を含み、表面処理され得ることを特徴とする、請求項１〜８のいずれか１項に記載のインプラント構造物。
【国際調査報告】
2022500166.tif 000014
2022500166.tif 000015
2022500166.tif 000016
2022500166.tif 000017